(57)【要約】      （修正有）【課題】ブラシ毛材の先端で塗布液を塗布したり、あるいは洗浄する際に回転使用することなく、塗布液を多く含ませて多く塗布することができ、また洗浄液を多く含ませて多い洗浄液で洗浄することが可能である。【解決手段】マスカラブラシ１は、多数のブラシ毛材５が、芯材６を中心に放射状に設けられ、放射状のブラシ毛材５を、芯材６を中心に集めて芯軸方向に沿った束状に形成してなるブラシ部４を有し、ブラシ部４の周囲に、芯材６を中心に芯軸方向に沿った空間部７を有する。ブラシ部４は、放射状のブラシ毛材５の先端に鍵状に折り曲げた鍵部を有するようにしてもよく、また芯軸方向から見て、放射状のブラシ毛材５の中央部が長く、この中央部から側部に向かうに従って短く形成してもよい。【選択図】図１
2012019817.tif 000002
【特許請求の範囲】
【請求項１】
多数のブラシ毛材が、芯材を中心に放射状に設けられ、
前記放射状のブラシ毛材を、前記芯材を中心に集めて芯軸方向に沿った束状に形成してなるブラシ部を有し、
前記ブラシ部の周囲に、前記芯材を中心に芯軸方向に沿った空間部を有することを特徴とするマスカラブラシ。
【請求項２】
前記ブラシ部は、前記放射状のブラシ毛材の先端が針状に尖っていることを特徴とする請求項１に記載のマスカラブラシ。
【請求項３】
前記ブラシ部は、前記放射状のブラシ毛材の先端に鍵状に折り曲げた鍵部を有することを特徴とする請求項１または請求項２に記載のマスカラブラシ。
【請求項４】
前記ブラシ部は、芯軸方向から見て、
前記放射状のブラシ毛材の中央部が長く、この中央部から側部に向かうに従って短く形成したことを特徴とする請求項１に記載のマスカラブラシ。
【請求項５】
前記ブラシ部は、複数設け、
前記複数のブラシ部を、芯軸方向から見て、
前記芯材を中心とした対称位置に配置したことを特徴とする請求項１に記載のマスカラブラシ。
【請求項６】
前記ブラシ部は、複数設け、
前記複数のブラシ部を、芯軸方向から見て、
前記芯材を中心とした鋭角となる位置に配置したことを特徴とする請求項１に記載のマスカラブラシ。
【請求項７】
前記ブラシ部は、複数設け、
前記複数のブラシ部を、芯軸方向から見て、
多角形の頂点となる位置に配置したことを特徴とする請求項１に記載のマスカラブラシ。
【請求項８】
前記ブラシ部は、複数設け、
前記複数のブラシ部を、芯軸方向から見て、
円形の円周に沿って等間隔の位置に配置したことを特徴とする請求項１に記載のマスカラブラシ。
【請求項９】
前記ブラシ部は、複数設け、
前記複数のブラシ部を、芯軸方向から見て、
半円形の円周に沿って等間隔の位置に配置したことを特徴とする請求項１に記載のマスカラブラシ。
【請求項１０】
前記ブラシ部は、前記放射状のブラシ毛材を、少なくとも加圧、加熱、超音波、高周波のいずれかにより加工して前記芯材を中心に集めて芯軸方向に沿った束状に形成したことを特徴とする請求項１に記載のマスカラブラシ。
【請求項１１】
前記ブラシ部は、芯材を中心に放射状に延びる複数の横溝を有することを特徴とする請求項１に記載のマスカラブラシ。
【請求項１２】
前記ブラシ部には、溝成形治具により加工することによって前記放射状のブラシ毛材に芯材を中心に放射状に延びる複数の横溝が形成され、
前記ブラシ部は、前記溝成形治具を取り付けない状態であることを特徴とする請求項１１に記載のマスカラブラシ。    
【請求項１３】
前記ブラシ部には、ブラシカバーを前記芯材に保持することによって前記放射状のブラシ毛材に芯材を中心に放射状に延びる複数の横溝が形成され、
前記ブラシ部は、前記ブラシカバーを取り付けた状態であることを特徴とする請求項１１に記載のマスカラブラシ。
【発明の詳細な説明】
【技術分野】
【０００１】
この発明は、特に塗布対象毛にマスカラなど塗布液を塗布し、または塗布液を洗浄するためのマスカラブラシに関する。
【背景技術】
【０００２】
従来、マスカラブラシは、特許文献１に開示されているように、通常多数のブラシ毛材を２つ折りとされた芯材で挟み、この芯材を巻き上げて多数のブラシ毛材が芯材から放射状になるように形成し、芯材の基端が埋め込み固定されるハンドルから構成されるのが一般的である。
【先行技術文献】
【特許文献】
【０００３】
【特許文献１】特開平５−２２８０１８号公報
【発明の概要】
【発明が解決しようとする課題】
【０００４】
このようなマスカラブラシは、ブラシ毛材がスパイラル状に連続しているため、まつ毛の下面をブラシ毛材の先端で塗布液を塗布したり、あるいは洗浄液によって洗浄することになる。したがって、マスカラの塗布では、例えばまつ毛の略下面だけが塗布され、また洗浄でもまつ毛の下面だけで側面や上面の洗浄液を払拭できない。ましてやマスカラブラシは、ブラシ断面が円形であるから回転をしないと、塗布液の塗布や洗浄液の払拭をすることができない。
【０００５】
この発明は、かかる実情に鑑みてなされたもので、ブラシ毛材の先端で塗布液を塗布したり、あるいは洗浄する際に回転使用することなく、塗布液を多く含ませて多く塗布することができ、また洗浄液を多く含ませて多い洗浄液で洗浄することが可能なマスカラブラシを提供することを目的としている。
【課題を解決するための手段】
【０００６】
前記課題を解決し、かつ目的を達成するために、この発明のマスカラブラシは、多数のブラシ毛材が、芯材を中心に放射状に設けられ、前記放射状のブラシ毛材を、前記芯材を中心に集めて芯軸方向に沿った束状に形成してなるブラシ部を有し、前記ブラシ部の周囲に、前記芯材を中心に芯軸方向に沿った空間部を有することを特徴とする。
【０００７】
前記ブラシ部は、前記放射状のブラシ毛材の先端が針状に尖っていることが好ましい。また、前記ブラシ部は、前記放射状のブラシ毛材の先端に鍵状に折り曲げた鍵部を有するようにすることができる。さらに、前記ブラシ部は、芯軸方向から見て、前記放射状のブラシ毛材の中央部が長く、この中央部から側部に向かうに従って短く形成してもよい。
【０００８】
前記ブラシ部は、複数設け、前記複数のブラシ部を、芯軸方向から見て、前記芯材を中心とした対称位置に配置したものでもよい。また、前記ブラシ部は、複数設け、前記複数のブラシ部を、芯軸方向から見て、前記芯材を中心とした鋭角となる位置に配置したものでもよい。また、前記ブラシ部は、複数設け、前記複数のブラシ部を、芯軸方向から見て、多角形の頂点となる位置に配置したものでもよい。また、前記ブラシ部は、複数設け、前記複数のブラシ部を、芯軸方向から見て、円形の円周に沿って等間隔の位置に配置したものでもよい。また、前記ブラシ部は、複数設け、前記複数のブラシ部を、芯軸方向から見て、半円形の円周に沿って等間隔の位置に配置したものでもよい。
【０００９】
前記ブラシ部は、前記放射状のブラシ毛材を、少なくとも加圧、加熱、超音波、高周波のいずれかにより加工して前記芯材を中心に集めて芯軸方向に沿った束状に形成したものでもよい。前記ブラシ部は、芯材を中心に放射状に延びる複数の横溝を有するものである。
【００１０】
前記ブラシ部には、溝成形治具により加工することによって前記放射状のブラシ毛材に芯材を中心に放射状に延びる複数の横溝が形成され、前記ブラシ部は、前記溝成形治具を取り付けない状態である。また、前記ブラシ部には、溝形成部を有するブラシカバーを前記芯材に保持することによって前記放射状のブラシ毛材に芯材を中心に放射状に延びる複数の横溝が形成され、前記ブラシ部は、前記ブラシカバーを取り付けた状態である。
【発明の効果】
【００１１】
前記構成により、この発明は、ブラシ部が放射状のブラシ毛材を、芯材を中心に集めて芯軸方向に沿った束状であり、まつ毛に塗布液を塗布する際には、束状のブラシ部に塗布液を多く含ませ、しかもブラシ部の周囲に、芯材を中心に芯軸方向に沿った空間部を有することから、ブラシ部を回転させることなく、まつ毛の下面などに塗布液を塗布することができる。また、まつ毛を洗浄液によって洗浄する際には、束状のブラシ部に洗浄液を多く含ませて、ブラシ部を回転させることなく、ブラシ部の側面によりまつ毛の下面や側面、上面の洗浄し、この洗浄した液を払拭することができる。
【００１２】
ブラシ部は、放射状のブラシ毛材の先端が針状に尖っていると、針状の先端によってまつ毛を梳き微細な塗布や洗浄をすることができる。また、ブラシ部は、放射状のブラシ毛材の先端に鍵状に折り曲げた鍵部を有するようにすることで、鍵部がまつ毛に絡み効果的に塗布したり、洗浄することができる。また、ブラシ部は、芯軸方向から見て、放射状のブラシ毛材の中央部が長く、この中央部から側部に向かうに従って短く形成することで、ブラシ部の先端部が尖った形状になり、ブラシ部の先端部によってまつ毛を梳き微細な塗布や洗浄をすることができる。
【００１３】
また、ブラシ部は、複数設け、複数のブラシ部を、芯軸方向から見て、芯材を中心とした対称位置に配置することで、空間部を広く確保し、複数のブラシ部に塗布液を多く含ませて多く塗布することができ、また洗浄液を多く含ませて多い洗浄液で洗浄することができ、またブラシ部の側面によりまつ毛の下面や側面、上面の洗浄し、この洗浄した液を払拭することができ、しかもブラシ部を回転させることがないのでまつ毛を痛めない。
【００１４】
また、ブラシ部は、複数設け、複数のブラシ部を、芯軸方向から見て、芯材を中心とした鋭角となる位置に配置することで、複数のブラシ部の間に空間部を確保し、塗布液を多く含ませて多く塗布することができ、また洗浄液を多く含ませて多い洗浄液で洗浄することができ、またブラシ部の側面によりまつ毛の下面や側面、上面の洗浄し、この洗浄した液を払拭することができ、しかもブラシ部を回転させることがないのでまつ毛を痛めない。
【００１５】
また、ブラシ部は、複数設け、複数のブラシ部を、芯軸方向から見て、多角形の頂点となる位置に配置し、またブラシ部は、複数設け、複数のブラシ部を、芯軸方向から見て、円形の円周に沿って等間隔の位置に配置し、また、ブラシ部は、複数設け、複数のブラシ部を、芯軸方向から見て、半円形の円周に沿って等間隔の位置に配置したものでは、複数のブラシ部の間に空間部を広く確保し、塗布液を多く含ませて多く塗布することができ、また洗浄液を多く含ませて多い洗浄液で洗浄することができ、またブラシ部の側面によりまつ毛の下面や側面、上面の洗浄し、この洗浄した液を払拭することができ、しかもブラシ部を回転させることがないのでまつ毛を痛めない。さらに、ブラシ部の配置位置によって、ブラシ部の両側部が傾斜することになり、ブラシ中心方向の芯軸に近くなる程ブラシ毛材が短くなり、ブラシ毛材が密集するようになり塗布液、洗浄液での使用において細かく梳くことができる。したがって、まつ毛を荒く梳きたい場合は、ブラシ部の先端部のブラシ毛材が密集していない部分で梳き、まつ毛を細かく梳きたい場合は、ブラシ部を深くまつ毛に差し込んでブラシ毛材が密集している部分で梳く。ブラシ部は、放射状のブラシ毛材を、少なくとも加圧、加熱、超音波、高周波のいずれかにより加工して確実に芯材を中心に集めて芯軸方向に沿った束状に形成したものである。
【００１６】
ブラシ部は、芯材を中心に放射状に延びる複数の横溝を有し、この複数の横溝によって塗布液や洗浄液を多く含ませて、まつ毛に塗布したり、洗浄することができる。ブラシ部には、溝成形治具により加工することによって放射状のブラシ毛材に芯材を中心に放射状に延びる複数の横溝が形成され、ブラシ部は、溝成形治具を取り付けない状態であり、溝成形治具を設けない分軽量になり使い勝手がよい。
【００１７】
ブラシ部には、ブラシカバーを芯材に保持することによって放射状のブラシ毛材に芯材を中心に放射状に延びる複数の横溝が形成され、ブラシ部は、ブラシカバーを取り付けた状態であり、使用によっても複数の横溝が変形することが抑制され、耐久性が向上する。
【図面の簡単な説明】
【００１８】
【図１】第１の実施の形態のマスカラブラシの構成を示すである。
【図２】マスカラブラシの製造方法を説明する図である。
【図３】マスカラブラシの使用を説明する図である。
【図４】第１の実施の形態の変形例１の構成を説明する図である。
【図５】第１の実施の形態の変形例２の構成を説明する図である。
【図６】第１の実施の形態の変形例３の構成を説明する図である。
【図７】（ａ），（ｂ）は第１の実施の形態のマスカラブラシを示す図、（ｃ）乃至（ｅ）はマスカラブラシの製造方法を説明する図である。
【図８】マスカラブラシの使用を説明する図である。
【図９】（ａ）乃至（ｄ）は第２の実施の形態の変形例１の構成を説明する図、（ｅ），（ｆ）は第２の実施の形態の変形例２の構成を説明する図である。
【図１０】（ａ），（ｂ）は第３の実施の形態のマスカラブラシを示す図、（ｃ）乃至（ｅ）はマスカラブラシの製造方法を説明する図である。
【図１１】（ａ），（ｂ）は第４の実施の形態のマスカラブラシを示す図、（ｃ）乃至（ｅ）はマスカラブラシの製造方法を説明する図である。
【図１２】第５の実施の形態のマスカラブラシの構成を示す図である。
【図１３】マスカラブラシの製造方法を説明する図である。
【図１４】第５の実施の形態のマスカラブラシの構成を説明する図である。
【図１５】ブラシカバーの構成を説明する図である。
【図１６】第５の実施の形態の変形例１の構成を説明する図である。
【発明を実施するための形態】
【００１９】
以下、この発明のマスカラブラシの実施の形態について説明する。この発明の実施の形態は、発明の最も好ましい形態を示すものであり、この発明はこれに限定されない。
［第１の実施の形態］
（マスカラブラシの構成）
この実施の形態を、図１に基づいて説明する。この実施の形態のマスカラブラシ１は、握り部２と、この握り部２の先端に全体の外観形状として手元側から先端側まで断面がほぼ長方形形状に成形されたブラシ本体３を有する。ブラシ本体３は、２個のブラシ部４を有する。このブラシ部４は、多数のブラシ毛材５が、芯材６を中心に放射状に設けられ、この放射状のブラシ毛材５が、芯材６を中心に集めて芯軸方向Ｌ１に沿った束状に形成してなり、ブラシ部４の周囲に、芯材６を中心に芯軸方向Ｌ１に沿った空間部７を有する。
【００２０】
ブラシ部４は、放射状のブラシ毛材５を、少なくとも加圧、加熱、超音波、高周波のいずれかにより加工して芯材６を中心に集めて芯軸方向Ｌ１に沿った束状に形成した構成であり、この実施の形態では芯材６の幅に集めて平板状に形成されている。
【００２１】
また、２個のブラシ部４は、芯材６を中心として直線状になるような対称位置にあり、このブラシ部４は、図１（ｂ）に示すように、多数のブラシ毛材５により形成された平板状の厚さＨ１が、芯材６の直径Ｄ１より大きく形成されている。平板状の厚さＨ１が、芯材６の直径Ｄ１と略同じ大きさであると、狭い隙間に塗布したり洗浄することができ、直径Ｄ１より略３倍程度大きく形成されていると、広い隙間に塗布したり洗浄することができる。
【００２２】
また、ブラシ部４は、多数のブラシ毛材５の先端部５ａが平面状になるように揃えられ、かつ手元から先端まで芯材６の芯軸方向Ｌ１に沿って平行になっている。このように、２個のブラシ部４は、芯材６を中心とした対称位置に形成され、対称位置に形成されたブラシ部４の間には、空間部７が容易に確保される。ブラシ部４は、図１（ｃ）に示すように、放射状のブラシ毛材５の先端が針状に尖っていると、針状の先端によってまつ毛を梳き微細な塗布や洗浄をすることができる。
【００２３】
（マスカラブラシの製造方法）
次に、マスカラブラシ１の製造方法を、図２に基づいて説明する。この実施の形態の場合、ブラシ本体３は、０．１〜２．０〔ｍｍφ〕の太さの２本になるように折り曲げたステンレス線材の心材６間に、その延長方向に多数のブラシ繊維材料のブラシ毛材５を配列するように挟み込んだ状態において（図２（ａ））、心材６にねじり加工を施すことにより、ねじり加工された芯材６を中心として、直線的に外方にブラシ毛材５を突出するように植毛し、多数のブラシ毛材５が、芯材６を中心に放射状に設けられた状態になる（図２（ｂ））。
【００２４】
多数のブラシ繊維材料のブラシ毛材５は、一端を針状に尖らすか（図２（ｃ））、両端を針状に尖らせたもの（図２（ｄ））を用いてもよい。ブラシ繊維材料は、０．０２８〜０．３〔ｍｍφ〕の合成樹脂材料（ナイロン、テトロン、ポリエステル、ポリプロピレンなど）の繊維素材を用いることができ、心材６やブラシ毛材５の材質、大きさ、形状等はブラシ具の使用用途によって自由に選定される。
【００２５】
多数のブラシ毛材５が、芯材６を中心に放射状に設けられた状態では、芯材６の芯軸方向から見ると、多数のブラシ毛材５が真円形状になっており、この多数のブラシ毛材５に４個の成形治具５０を芯材６方向に差し込み（図２（ｅ））、この４個の成形治具５０を用いて放射状のブラシ毛材５が芯材６を中心になるように集め、４個の成形治具５０に電流を流すことにより、ジュール熱を発生させ加熱し、集めた放射状のブラシ毛材５を平板状に加圧加熱する（図２（ｆ））。このように、図１に示すように、多数のブラシ毛材５を、加圧加熱によって芯材６の芯軸方向に沿って平板状に形成してなるブラシ部４が形成される。このブラシ部４は、芯材６を中心とした対称位置に形成され、対称位置に形成されたブラシ部４の間には、芯材６を中心に芯軸方向Ｌ１に沿った空間部７が形成される。
【００２６】
この実施の形態では、成形治具５０に電流を流すことにより、ジュール熱を発生させて集めた放射状のブラシ毛材５を束状に加圧加熱するが、集めた放射状のブラシ毛材５を加圧して束状にしてもよく、また放射状のブラシ毛材５を集めた状態でブラシ毛材５の基部を加熱することで軟化して屈曲し、これにより放射状のブラシ毛材５を束状にしてもよい。
【００２７】
また、放射状のブラシ毛材５を集めた状態で、ブラシ毛材５の基部に、超音波、または高周波を照射し、この超音波、または高周波によってブラシ毛材５を塑性変形させ、これによりブラシ毛材５の基部を屈曲させて、放射状のブラシ毛材５を束状にしてもよい。
【００２８】
（マスカラブラシの使用）
このマスカラブラシ１の使用を、図３に基づいて説明する。マスカラブラシ１を、液塗布に用いる場合には、束状のブラシ毛材５に塗布液を付着させるために、例えば塗布液を貯留した液容器にブラシ本体３を入れ、ブラシ部４に塗布液を付着させて取り出すことがあるが、この取り出すときに液容器の口部に設けられたパッキン等で束状のブラシ部４のブラシ毛材５がしごかれる。このしごき後には、束状のブラシ部４のブラシ毛材５に塗布液の溜りができ、したがってまつ毛６０に多量塗布ができ、塗布後には束状のブラシ部４のブラシ毛材５によってまつ毛６０を１本１本梳くようにして塗布液を均一に塗布することができる。
【００２９】
すなわち、まつ毛６０に塗布液を塗布する際には、図３（ａ）に示すように、束状のブラシ部４のブラシ毛材５に塗布液を多く含ませて、しかも束状のブラシ部４の周囲に、芯材６を中心に芯軸方向に沿った空間部７を有することから、束状のブラシ部４によって回転させることなく矢印方向に移動させて、束状のブラシ部４の側面からまつ毛６０に塗布液を塗布することができる。
【００３０】
また、ブラシ部４は、多数のブラシ毛材５により形成された平板状の厚さＨ１が、芯材６の直径Ｄ１より大きいことで、まつ毛６０をブラシ部４のより多数のブラシ毛材５によって１本１本梳くようにして塗布液をより均一に塗布することができる。
【００３１】
また、ブラシ部４は、多数のブラシ毛材５の先端部５ａが平面状になるように揃えられており、液塗布ブラシとして用いる場合には、多数のブラシ毛材５の長さが揃っていることで、多くのまつ毛６０を１本１本梳くようにして塗布液をより均一に塗布することができる。
【００３２】
また、まつ毛６０を洗浄液によって洗浄する際には、図３（ｂ）に示すように、束状のブラシ部４に洗浄液を多く含ませて、束状のブラシ部４の周囲に、芯材６を中心に芯軸方向に沿った空間部７を有することから、束状のブラシ部４によって回転させることなく、束状のブラシ部４の側面から矢印方向に移動してブラシ部４の側面によりまつ毛の下面や側面、上面の洗浄し、この洗浄した液を払拭することができ、しかもブラシ部を回転させることがないのでまつ毛を痛めない。
【００３３】
（第１の実施の形態の変形例１）
次に、第１の実施の形態の変形例１を、図４に基づいて説明する。この第１の実施の形態の変形例１は、２個のブラシ部４が芯材６を中心として直線状になるような対称位置にあり、このブラシ部４が芯材６の幅に集めて平板状に形成されているものである。
【００３４】
図４（ａ）のブラシ部４は、放射状のブラシ毛材５の先端に鍵状に折り曲げた鍵部５ｂを有し、この鍵部５ｂがまつ毛６０に絡み効果的に塗布したり、洗浄することができる。図４（ｂ）のブラシ部４は、芯軸方向Ｌ１から見て、放射状のブラシ毛材５の中央部が長く、この中央部から側部に向かうに従って短く形成したことで、ブラシ部４の先端部５ｃが尖った形状になり、ブラシ部４の先端部５ｃによってまつ毛６０を梳き微細な塗布や洗浄をすることができる。
【００３５】
図４（ｃ）のブラシ部４は、放射状のブラシ毛材５の先端部５ｄを外方へ広げたもので、広げた先端部５ｄがまつ毛６０の間に入り込み効果的に塗布したり、洗浄することができる。
【００３６】
図４（ｄ）のマスカラブラシ１は、２個のブラシ部４の間に芯材６を中心に短いブラシ毛材の部分５ｅを有し、この短いブラシ毛材の部分５ｅにも塗布液や洗浄液が溜まり、短いブラシ毛材の部分５ｄで塗布したり、洗浄することができる。図４（ｅ）及び図４（ｆ）のマスカラブラシ１は、図４（ｄ）のマスカラブラシ１と同様に、芯材６を中心に短いブラシ毛材の部分５ｆを有するが、図４（ｅ）の実施の形態では、２個のブラシ部４の間で直交方向に向けて延びるように形成し、図４（ｆ）の実施の形態では、２個のブラシ部４の間で２方向に斜めに延びるように形成した構成であり、図４（ｄ）のマスカラブラシ１と同様な効果を有する。
【００３７】
図４（ｇ）のマスカラブラシ１は、２個のブラシ部４の一方を短くした構成で、図４（ｈ）のマスカラブラシ１は、１個のブラシ部４で、芯材６を中心に芯軸方向に沿った空間部７を有する構成である。
【００３８】
図４（ｉ）のマスカラブラシ１は、２個のブラシ部４を、それぞれ芯軸方向から見て、波状に曲げた構成であり、２個のブラシ部４にも塗布液や洗浄液が溜まり、ブラシ部４に溜まった塗布液や洗浄液を用いて塗布したり、洗浄することができる。
【００３９】
（第１の実施の形態の変形例２）
次に、第１の実施の形態の変形例２を、図５に基づいて説明する。この第１の実施の形態の変形例２は、ブラシ部４が芯材６の幅に集めて平板状に形成され、ブラシ部４は長方形状とするが、長方形状を変形させたり、別にブラシ毛材を付加するなどしたものである。この実施の形態では、第１の実施の形態の変形例１と同じ構成は、同じ符号を付して説明を省略する。
【００４０】
図５（ａ）の実施の形態では、２個のブラシ部４を対称位置に有しているが、先端部に向けて先細りになっており、図５（ｂ）の実施の形態では、手元から先端部に向けて先細りになっており、図５（ｃ）の実施の形態では、中央部が細くなっており、これらはブラシ部４の変化した先細り部分を利用して効果的に塗布したり、洗浄することができる。
【００４１】
図５（ｄ）の実施の形態では、中央部から先端側は図５（ｃ）の実施の形態と同様であるが、中央部から手元側はブラシ毛材５が放射状になっており、図５（ｅ）の実施の形態では、４個のブラシ部４を中央部から先端側の対称位置に有し、先端部に向けて先細りになっており、中央部から手元側はブラシ部４より短いブラシ毛材５が放射状になっており、図５（ｆ）の実施の形態では、４個のブラシ部４を中央部から手元側の対称位置に有し、対応する一対のブラシ部４が対向する他の一対のブラシ部４より短くなっており、中央部から先端側はブラシ部４より短いブラシ毛材５が放射状になっている。
【００４２】
図５（ｇ）の実施の形態では、４個のブラシ部４を中央部から手元側の対称位置に有し、図５（ｆ）の実施の形態と同様に構成されているが、先端側はブラシ部４と同じ長さから先細りになるようにブラシ毛材５が放射状になっており、これらはブラシ部４とブラシ毛材５が放射状の部分とを利用して効果的に塗布したり歯垢清掃することができる。
【００４３】
図５（ｈ）の実施の形態では、ブラシ部４が芯材６を中心に螺旋状になるように形成され、ブラシ部４を種々の形状に変化させている。このように、ブラシ部４は、芯材６を中心とした螺旋状に形成されているから、液塗布ブラシとして用いる場合には、液容器から取り出すときに液容器の口部に設けられたパッキン等でブラシ部４のブラシ毛材５がしごかれ、このしごき後には、ブラシ部４のブラシ毛材５に塗布液の溜りができ、かつ螺旋状のブラシ部４の間の部分に塗布液や洗浄液の溜まりができる。この液溜りでまつ毛６０に多量塗布ができ、ブラシ部４のブラシ毛材５を回転操作してまつ毛６０を１本１本梳くようにして塗布液や洗浄液を均一に塗布することができる。
【００４４】
（第１の実施の形態の変形例３）
次に、第１の実施の形態の変形例３を、図６に基づいて説明する。この第１の実施の形態の変形例３は、ブラシ部４が芯材６の幅に集めて平板状に形成されているものであるが、別の部材を付加するものである。この実施の形態では、第１の実施の形態の変形例１と同じ構成は、同じ符号を付して説明を省略する。
【００４５】
図６（ａ）の実施の形態では、ブラシ本体３が２個のブラシ部４を対称位置に有し、成形型の軸部７０に芯材６が位置するように配置され、ブラシ本体３の先端は軸部７０から先方へ突出し、軸部７０には突起７０ａが多数形成されている。ブラシ本体３の先端は、２個のブラシ部４が先細りになっている。
【００４６】
図６（ｂ）の実施の形態では、図６（ａ）の実施の形態と同様に成形型の軸部７０に芯材６が位置するように配置され、軸部７０には溝７０ｂが軸方向に多数連続して形成されている。図６（ｃ）の実施の形態では、ブラシ本体３が１個のブラシ部４を有し、芯材６が成形型の半円の軸部７０に配置され、ブラシ本体３の先端は軸部７０から先方へ突出し、軸部７０には溝７０ｂが軸方向に多数連続して形成されている。
【００４７】
図６（ｄ）の実施の形態では、ブラシ本体３が１個のブラシ部４を有し、芯材６が成形型の半円の軸部７０に配置され、軸部７０には突起７０ａが多数形成されている。図６（ｅ）の実施の形態では、ブラシ本体３が１個のブラシ部４を有し、芯材６が成形型の半円の軸部７０に配置され、軸部７０には櫛７２が形成されている。図６（ｆ）の実施の形態では、ブラシ本体３が１個のブラシ部４を有し、芯材６が左右の櫛７２の間に位置するように配置されている。
【００４８】
このように、ブラシ部４は、塗布液を塗布する櫛または成形型の塗布部と軸方向に組み合わせた構成であるから、櫛または成形型の塗布部を用いて例えばまつ毛に多量塗布し、ブラシ部４のブラシ毛材５によってまつ毛を１本１本梳くようにして塗布液を均一に塗布し、または洗浄することができる。
【００４９】
［第２の実施の形態］
（マスカラブラシの構成）
この実施の形態を、図７（ａ），（ｂ）に基づいて説明する。この実施の形態のマスカラブラシ１１は、握り部１２と、この握り部１２の先端に全体の外観形状として手元側から先端側まで断面がほぼ長方形形状に成形されたブラシ本体１３を有する。ブラシ本体１３は、２個のブラシ部１４を有するが、このブラシ部１４は、多数のブラシ毛材１５が、芯材１６を中心に放射状に設けられ、この放射状のブラシ毛材１５が、芯材１６を中心に集めて芯軸方向Ｌ２１に沿った束状に形成してなり、ブラシ部１４の周囲に、芯材１６を中心に芯軸方向Ｌ２１に沿った空間部１７ａ．１７ｂを有する。
【００５０】
ブラシ部１４は、放射状のブラシ毛材１５を、第１の実施の形態と同様に少なくとも加圧、加熱、超音波、高周波のいずれかにより加工して芯材１６を中心に集めて芯軸方向Ｌ２１に沿った束状に形成した構成である。
【００５１】
この２個のブラシ部１４を、芯軸方向から見て、芯材１６を中心とした鋭角となる位置に配置され、この実施の形態では芯材６を中心としてＶ字状となる位置であり、鋭角となる位置に配置されたブラシ部１４の間には、狭い空間部１７ａが確保され、２個のブラシ部４の回りに広い空間部１７ｂが確保されている。ブラシ部１４は、多数のブラシ毛材１５の先端部１５ａが平面状になるように揃えられている。
【００５２】
（マスカラブラシの製造方法）
次に、マスカラブラシ１１の製造方法を、図７（ｃ），（ｄ），（ｅ）に基づいて説明する。この実施の形態の場合、ブラシ本体１３は、多数のブラシ毛材１５が、芯材１６を中心に放射状に設けられた状態であり、芯材１６の芯軸方向から見ると、多数のブラシ毛材１５が真円形状になっている（図７（ｃ））。真円形状の多数のブラシ毛材１５には、３個の成形治具５０を芯材１６方向に差し込み（図７（ｄ））、両側の成形治具５０を中央の成形治具５０に向けて移動させて３個の成形治具５０に熱を与えて集めた放射状のブラシ毛材１５を平板状に加圧加熱する（図７（ｅ））。このように、多数のブラシ毛材１５を、加圧加熱によって芯材１６の芯軸方向に沿って平板状に形成してなる２個のブラシ部１４が、図７に示すように形成される。
【００５３】
（マスカラブラシの使用）
このマスカラブラシ１１は、まつ毛６０に塗布液を塗布する際には、図８（ａ）に示すように、ブラシ部１４の間に空間部１７ａを確保しており、この空間部１７ａに塗布液を溜めることで、空間部１７ａからブラシ部１４に供給して多く含ませて、かつブラシ部１４の周囲に、芯材１６を中心に芯軸方向に沿った空間部１７ｂを有することから、ブラシ部１４によって回転させることなく矢印方向に移動させて、束状のブラシ部１４の側面からまつ毛６０に塗布液を塗布することができる。
【００５４】
また、まつ毛６０を洗浄液によって洗浄する際には、図８（ｂ）に示すように、束状のブラシ部１４の間に空間部１７ａに洗浄液を溜め、空間部１７ａからブラシ部１４に供給して多く含ませて、かつブラシ部１４の周囲に、芯材１６を中心に芯軸方向に沿った空間部１７ｂを有することから、ブラシ部１４によって回転させることなく、束状のブラシ部１４の側面から矢印方向に移動してブラシ部１４の側面によりまつ毛の下面や側面、上面の洗浄し、この洗浄した液を払拭することができ、しかもブラシ部１４を回転させることがないのでまつ毛を痛めない。
【００５５】
（第２の実施の形態の変形例１）
次に、第２の実施の形態の変形例１を、図９（ａ），（ｂ），（ｃ），（ｄ）に基づいて説明する。この第２の実施の形態の変形例１は、複数のブラシ部１４を、芯軸方向から見て、芯材１６を中心とした鋭角となる位置に配置したものであり、ブラシ部１４は長方形状である。
【００５６】
図９（ａ）の実施の形態は、３個のブラシ部１４を、芯軸方向から見て、芯材１６を中心とした鋭角となる位置に配置したものであり、３個のブラシ部１４の間に、それぞれ空間部１７ａを有し、かつブラシ部１４の周囲に、芯材１６を中心に芯軸方向に沿った空間部１７ｂを有する。
【００５７】
図９（ｂ）の実施の形態は、４個のブラシ部１４を、芯軸方向から見て、芯材１６を中心とした鋭角となる位置に配置したものであり、３個のブラシ部１４の間に、それぞれ空間部１７ａを有し、かつブラシ部１４の周囲に、芯材１６を中心に芯軸方向に沿った空間部１７ｂを有する。
【００５８】
図９（ｃ）の実施の形態は、２個のブラシ部１４を、芯軸方向から見て、芯材１６を中心とした鋭角となる位置に配置し、さらにこの２個のブラシ部１４を芯材１６を中心として対称位置に配置し、２個のブラシ部１４の間に、それぞれ空間部１７ａを有し、かつブラシ部１４の周囲に、芯材１６を中心に芯軸方向に沿った空間部１７ｂを有する。
【００５９】
図９（ｄ）の実施の形態は、２個のブラシ部１４を、芯軸方向から見て、芯材１６を中心とした鋭角となる位置に配置するものであるが、一方のブラシ部１４は、ブラシ毛材１５が芯材１６を中心に放射状に設けられた状態であり、一方のブラシ部１４の周囲にのみ、芯材１６を中心に芯軸方向に沿った空間部１７ｂを有する。
【００６０】
（第２の実施の形態の変形例２）
次に、第２の実施の形態の変形例２を、図９（ｅ），（ｆ）に基づいて説明する。この第２の実施の形態の変形例２は、複数のブラシ部１４を、芯軸方向から見て、芯材１６を中心とした鋭角となる位置に配置したものであるが、複数のブラシ部１４を寄せて集めたものである。この実施の形態では、第２の実施の形態の変形例１と同じ構成は、同じ符号を付して説明を省略する。
【００６１】
図９（ｅ）の実施の形態は、２個のブラシ部１４を、芯軸方向から見て、芯材１６を中心とした鋭角となる位置に配置して寄せ集めて一体にし、さらにこのブラシ部１４を芯材１６を中心として対称位置に配置し、２個の寄せ集めたブラシ部１４の間に、それぞれ空間部１７ｂを有する。
【００６２】
図９（ｆ）の実施の形態は、ブラシ部１４を、芯軸方向から見て、芯材１６を中心として寄せ集めて一体にし、このブラシ部１４の周りに芯材１６を中心とした空間部１７ｂを有する。
【００６３】
［第３の実施の形態］
（マスカラブラシの構成）
この実施の形態を、図１０（ａ），（ｂ）に基づいて説明する。この実施の形態のマスカラブラシ２１は、握り部２２と、この握り部２２の先端に全体の外観形状として手元側から先端側まで断面がほぼ長方形形状に成形されたブラシ本体２３を有する。ブラシ本体２３は、３個のブラシ部２４を有し、この３個のブラシ部２４は、芯軸方向から見て、三角形の頂点となる位置に配置した構成である。このブラシ部２４は、多数のブラシ毛材２５が、芯材２６を中心に放射状に設けられ、この放射状のブラシ毛材２５が、芯材２６を中心に集めて芯軸方向Ｌ３１に沿った束状に形成してなり、ブラシ部２４の周囲に、芯材２６を中心に芯軸方向Ｌ３１に沿った空間部２７ａを有する。
【００６４】
ブラシ部２４は、放射状のブラシ毛材２５を、第１の実施の形態と同様に少なくとも加圧、加熱、超音波、高周波のいずれかにより加工して芯材２６を中心に集めて芯軸方向Ｌ３１に沿った束状に形成した構成であり、この実施の形態では芯材２６の幅に集めて平板状に形成されている。
【００６５】
（マスカラブラシの製造方法）
次に、マスカラブラシ２１の製造方法を、図１０（ｃ），（ｄ），（ｅ）に基づいて説明する。この実施の形態の場合、ブラシ本体２３は、多数のブラシ毛材２５が、芯材２６を中心に放射状に設けられた状態であり、芯材２６の芯軸方向から見ると、多数のブラシ毛材２５が真円形状になっている（図１０（ｃ））。そして、真円形状の多数のブラシ毛材２５を芯材２６の芯軸方向から見て三角形状になるように切断し（図１０（ｄ））、３個の成形治具５０を芯材２６方向に差し込み（図１０（ｅ））、３個の成形治具５０に熱を与えて集めた放射状のブラシ毛材２５を平板状に加圧加熱する。このように、マスカラブラシ２１は、３個のブラシ部２４が芯軸方向Ｌ３１から見て、三角形の頂点となる位置に配置し、３個のブラシ部２４の間に空間部２７ａを確保した構成になる。
【００６６】
（マスカラブラシの使用）
このマスカラブラシ２１は、３個のブラシ部２４は、芯軸方向Ｌ３１から見て、三角形状の頂点となる位置に配置し、３個のブラシ部２４の間に空間部２７ａを確保し、３個のブラシ部２４に塗布液を多く含ませ、かつ空間部２７ａに塗布液を溜めることで、塗布液を多く塗布することができ、また同様に洗浄液を多く含ませて多い洗浄液で洗浄することができる。
【００６７】
また、ブラシ部２４の側面によりまつ毛の下面や側面、上面に塗布したり、洗浄し、しかも洗浄した液を払拭することができ、しかもブラシ部２４を回転させることがないのでまつ毛を痛めない。
【００６８】
さらに、ブラシ部２４の両側部が傾斜することになり、ブラシ中心方向の芯軸に近くなる程ブラシ毛材２５が短くなり、ブラシ毛材２５が密集するようになり塗布液、洗浄液での使用において細かく梳くことができる。したがって、まつ毛を荒く梳きたい場合は、ブラシ部２４の先端部のブラシ毛材２５が密集していない部分で梳き、まつ毛を細かく梳きたい場合は、ブラシ部２４を深くまつ毛に差し込んでブラシ毛材２５が密集している部分で梳くことができる。
【００６９】
（第３の実施の形態の変形例１）
次に、第３の実施の形態の変形例１を、図１１（ａ），（ｂ）に基づいて説明する。この実施の形態のマスカラブラシ２１は、４個のブラシ部２４を有し、この４個のブラシ部２４は、芯軸方向から見て、四角形の頂点となる位置に配置した構成であり、ブラシ部２４は、多数のブラシ毛材２５が、芯材２６を中心に放射状に設けられ、この放射状のブラシ毛材２５が、芯材２６を中心に集めて芯軸方向Ｌ３１に沿った束状に形成してなり、ブラシ部２４の周囲に、芯材２６を中心に芯軸方向Ｌ３１に沿った空間部２７ａを有する。
【００７０】
ブラシ部２４は、放射状のブラシ毛材２５を、少なくとも加圧、加熱、超音波、高周波のいずれかにより加工して芯材２６を中心に集めて芯軸方向Ｌ３１に沿った束状に形成した構成であり、この実施の形態では芯材２６の幅に集めて平板状に形成されている。
【００７１】
（マスカラブラシの製造方法）
次に、マスカラブラシ２１の製造方法を、図１１（ｃ），（ｄ），（ｅ）に基づいて説明する。この実施の形態の場合、ブラシ本体２３は、多数のブラシ毛材２５が、芯材２６を中心に放射状に設けられた状態であり、芯材２６の芯軸方向から見ると、多数のブラシ毛材２５が真円形状になっている（図１１（ｃ））。そして、真円形状の多数のブラシ毛材２５を芯材２６の芯軸方向から見て四角形状になるように切断し（図１１（ｄ））、４個の成形治具５０を芯材２６方向に差し込み（図１１（ｅ））、４個の成形治具５０に熱を与えて集めた放射状のブラシ毛材２５を平板状に加圧加熱する。このように、マスカラブラシ２１は、４個のブラシ部２４が芯軸方向Ｌ３１から見て、四角形の頂点となる位置に配置し、４個のブラシ部２４の間に空間部２７ａを確保した構成になる。
【００７２】
（第３の実施の形態の変形例２）
次に、第３の実施の形態の変形例２について説明するが、説明図は省略する。この実施の形態では、複数のブラシ部を、芯軸方向から見て、多角形の頂点となる位置に配置する構成であればよく、例えば第２の実施の形態の変形例２と同様に構成されるが、マスカラブラシは、６個のブラシ部が芯軸方向から見て、六角形の頂点となる位置に配置し、６個のブラシ部の間に空間部を確保した構成であり、また８個のブラシ部が芯軸方向から見て、八角形の頂点となる位置に配置し、８個のブラシ部の間に空間部を確保した構成である。また、マスカラブラシは、ブラシ部が芯軸方向から見て、長方形の頂点となる位置に配置してもよい。
【００７３】
さらに、マスカラブラシは、三角形、四角形、六角形などの多角形の各辺が曲線して凹ませた形状、あるいは突出させた形状になるように切断し、成形治具を芯材方向に差し込み、ブラシ部が芯軸方向から見て、多角形の頂点となる位置に配置した構成でもよい。
【００７４】
（第３の実施の形態の変形例３）
次に、第３の実施の形態の変形例３について説明するが、説明図は省略する。この第３の実施の形態の変形例３では、ブラシ部は、複数設け、この複数のブラシ部を、芯軸方向から見て、円形の円周に沿って等間隔の位置に配置し、この配置する構造は第３の実施の形態の変形例１及び第３の実施の形態の変形例２と同様である。
【００７５】
（第３の実施の形態の変形例４）
次に、第３の実施の形態の変形例４について説明するが、説明図は省略する。この第３の実施の形態の変形例４では、ブラシ部は、複数設け、この複数のブラシ部を、芯軸方向から見て、半円形の円周に沿って等間隔の位置に配置し、この配置する構造は第３の実施の形態の変形例１及び第３の実施の形態の変形例２と同様である。  
【００７６】
［第４の実施の形態］
（マスカラブラシの構成）
この実施の形態を、図１２に基づいて説明する。この実施の形態では、マスカラブラシ３１は、握り部３２と、この握り部３２の先端に全体の外観形状として手元側から先端側まで断面がほぼ長方形形状に成形されたブラシ本体３３を有する。ブラシ本体３３は、２個のブラシ部３４が第１の実施の形態と同様に芯材３６を中心とした対称位置に形成され、対称位置に形成されたブラシ部３４の間には、空間部３７が容易に確保される。ブラシ部３４は、多数のブラシ毛材３５が、芯材３６を中心に放射状に設けられている。この実施の形態のブラシ部３４は、芯材３６を中心に放射状に延びる複数の横溝３８を有する構成であり、この複数の横溝３８によって塗布液や洗浄液を多く含ませて、まつ毛に塗布したり、洗浄することができる。この実施の形態は、第１の実施の形態乃至第３の実施の形態のブラシ部において、芯材を中心に放射状に延びる複数の横溝を有する構成である。
【００７７】
このブラシ部３４は、溝成形治具９０により加工することによって放射状のブラシ毛材３５に芯材３６を中心に放射状に延びる複数の横溝３８が形成され、加工後に溝成形治具９０を取り外すことによってブラシ部３４には、溝成形治具９０を取り付けない状態である。
【００７８】
（マスカラブラシの製造方法）
次に、マスカラブラシ３１の製造方法を、図１３に基づいて説明する。この実施の形態のマスカラブラシ３１は、２個のブラシ部３４が第１の実施の形態と同様に製造され、この２個のブラシ部３４に横溝３８が図１３に示す製造手順によって製造される。ブラシ本体３３が用意され（図１３（ａ））、このブラシ本体３３に対して、図１３（ｂ）に示すように、縦方向ａにピッチＰ２を有するコイルスプリング形状の溝成形治具９０が用意され、この溝成形治具９０が、図１３（ｃ）に示すように、ブラシ本体３３に嵌め合される。
【００７９】
ここで、溝成形治具９０は、金属性線材を弦巻状に巻き込んでなり、そのピッチＰ２は、ブラシ本体３３のブラシ毛材３５のピッチＰ１（図１３（ａ））より大きく、かつ（図１３（ｄ））に示すように、ブラシ毛材３５の外周面に形成すべき横溝３８に対応する値に選定されている。また、溝成形治具９０の線材の太さＤ１は、ブラシ毛材３５の外周面に形成すべき横溝３８の縦方向への幅に相当する値に選定される。
【００８０】
図１３（ｃ）に示すように、ブラシ本体３３に溝成形治具９０を嵌め合せた状態になると、図１２（ｃ）に示すように、ブラシ本体３３の芯材３６から外方に突出するブラシ毛材３５のうち、溝成形治具９０の線材９０Ａ間に位置するブラシ毛材３５は、溝成形治具９０による成形動作の影響を受けずに（すなわち干渉を受けずに）溝成形治具９０の線材間を通って外方に突出する。
【００８１】
これに対して、ブラシ本体３３のブラシ毛材３５より外方に突出するブラシ毛材３５のうち、溝成形治具９０の線材９０Ａに当接する（すなわち干渉する）ブラシ毛材３５は、当該線材９０Ａの干渉面によって変形されて干渉を逃げる位置に折り曲げられ、その結果線材９０Ａの間を通って外方に突出する。
【００８２】
かくして、溝成形治具９０を嵌め合された状態にあるブラシ本体３３のブラシ毛材３５の先端部分は、それぞれ芯材３６から外方に突出する位置と溝成形治具９０の線材９０Ａとの位置関係に基づいて、溝成形治具９０の線材間の隙間を通って外方に突出する状態にその突出状態を成形される。
【００８３】
図１３（ｃ）のように、溝成形治具９０を嵌め合された状態のブラシ本体３３は、別途加熱加工装置に入れられて溝成形治具９０の線材に電流を流すことにより、当該線材からジュール熱を発生させる。
【００８４】
この熱加工状態においてブラシ本体３３のブラシ毛材３５は熱可塑性を有する合成樹脂材料で構成されていることにより熱可塑変形を生じ、これにより溝成形治具９０の線材９０Ａが螺旋状に巻き込まれていることに基づいて、当該線材９０Ａの螺旋状形状がブラシ本体３３のブラシ毛材３５の外周部分に、折り曲げられた痕跡を残すような成形処理がなされることになる。
【００８５】
かかる成形処理の後、ブラシ本体３３から溝成形治具９０を外すと、図１３（ｄ）に示すように、ブラシ本体３３（図１３（ａ））のブラシ毛材３５でなるブラシ本体部３３の外周部について、溝成形治具９０の線材９０Ａによる痕跡が芯材３６の軸線を斜めに横切る横溝３８として形成される。
【００８６】
このように、ブラシ部３４には、溝成形治具９０により加工することによって放射状のブラシ毛材３５に芯材３６を中心に放射状に延びる複数の横溝３８が形成され、加工後に溝成形治具９０を取り外すことによってブラシ部３４には、溝成形治具９０を取り付けない状態である。
【００８７】
（マスカラブラシの使用）
このマスカラブラシ３１は、塗布液容器のしごき部材によってブラシ本体部３３のブラシ毛材３５がしごかれることにより、余分な塗布液をしごき落とした状態で塗布液容器から引き抜かれる。
【００８８】
このときブラシ本体部３３には、比較的幅の広い横溝３８が形成されていることにより、当該横溝３８に多量の塗布液を保持した状態になっている。このように、ブラシ部３４は、芯材３６を中心に放射状に延びる複数の横溝３８を有し、この複数の横溝３８によって塗布液や洗浄液を多く含ませることができることから、塗布液や洗浄液によってまつ毛に塗布したり、洗浄することができる。ブラシ部３４には、溝成形治具９０を取り付けない状態であり、溝成形治具９０を設けない分軽量になり使い勝手がよい。
【００８９】
この実施の形態では、ブラシ部３４には、溝成形治具９０の線材に電流を流すことにより、当該線材からジュール熱を発生させ加熱する加工により放射状のブラシ毛材３５に芯材３６を中心に放射状に延びる複数の横溝３８が形成されるが、溝成形治具９０の線材によって加圧し、芯材３６を中心に放射状に延びる複数の横溝３８を形成することができる。また、溝成形治具として溝を形成する突部を有する雄金型と、突部に対応する凹部を有する雌金型を用い、この雄金型と雌金型に嵌め合いで加圧して芯材３６を中心に放射状に延びる複数の横溝３８を形成してもよい。
【００９０】
また、ブラシ部３４の放射状のブラシ毛材３５に、超音波、または高周波を照射し、この超音波、または高周波によってブラシ毛材３５を塑性変形させてブラシ部３４に芯材３６を中心に放射状に延びる複数の横溝３８を形成してもよい。  
【００９１】
この実施の形態では、ブラシ部３４には、溝成形治具により加工することによって放射状のブラシ毛材３５に芯材３６を中心に放射状に延びる複数の横溝３８が形成され、ブラシ部３４は、溝成形治具を取り付けない状態であり、溝成形治具を設けない分軽量になり使い勝手がよい。また、この実施の形態では、ブラシ部３４には、溝成形治具により加工することによって放射状のブラシ毛材３５に芯材３６を中心に放射状に延びる複数の横溝３８が形成され、ブラシ部３４は、溝成形治具を取り付けない状態であるが、コイルスプリング形状の溝成形治具など溝成形治具によっては取り付けた状態とした構成し、使用するようにしてもよい。
【００９２】
［第５の実施の形態］
次に、第５の実施の形態を、図１４及び図１５に基づいて説明する。この第５の実施の形態では、ブラシ部３４には、ブラシカバー９１を芯材３６に保持することによって放射状のブラシ毛材３５に芯材３６を中心に放射状に延びる複数の横溝３８が形成され、ブラシ部３４は、ブラシカバー９１を取り付けた状態である。この実施の形態は、第１の実施の形態乃至第３の実施の形態のブラシ部において、芯材を中心に放射状に延びる複数の横溝を有する構成である。
【００９３】
この実施の形態のブラシカバー９１は、断面が円近似の形状をもって矢印ａの縦方向に縦長な金属材料でなり、その内部空間にブラシ本体３３を挿入する構造であり、ブラシカバー９１の板部９１Ａと対向する上側部には矢印ａの縦方向全体に亘って開口９１Ｂが形成され、これによりブラシカバー９１にブラシ本体３３が差し込まれたとき、ブラシ本体３３のブラシ毛材３５が開口９１Ｂを通って上方に突出するようになされている。
【００９４】
さらに、ブラシカバー９１の左部及び右部には、それぞれ複数の左部切込み９１Ｌ及び右部切込み９１Ｒが、間に左部干渉凸部９１ＬＸ及び右部干渉凸部９１ＲＸを挟みながら、順次矢印ａの縦方向に沿って形成されている。左部干渉凸部９１ＬＸ及び右部干渉凸部９１ＲＸの先端は、鋭角になっており、左部干渉凸部９１ＬＸ及び右部干渉凸部９１ＲＸがブラシ毛材３５の間に入り込み易いようになっている。
【００９５】
これにより、ブラシカバー９１にブラシ本体３３を差し込んだ状態において、ブラシカバー９１の外側から内側向けて力を加えて曲げることで、左部干渉凸部９１ＬＸ及び右部干渉凸部９１ＲＸが先端からブラシ毛材３５の間に入り込み、ブラシ毛材３５のうち、左部切込み９１Ｌ及び右部切込み９１Ｒに対応する部分は、左部切込み９１Ｌ及び右部切込み９１Ｒを通って外方に突出する。
【００９６】
ブラシ本体３３のブラシ毛材３５のうち、左部干渉凸部９１ＬＸ及び右部干渉凸部９１ＲＸに当接することにより干渉を受けるブラシ毛材は、左部干渉凸部９１ＬＸ及び右部干渉凸部９１ＲＸと隣り合う左部切込み９１Ｌ及び右部切込み９１Ｒ側に逃げるように折り曲げられて、左部切込み９１Ｌ及び右部切込み９１Ｒから外方に突出するようになされている。
【００９７】
ブラシカバー９１内にブラシ本体３３を差し込んだ状態において、ブラシカバー９１の外側から内側向けて力を加えて曲げることで、左部干渉凸部９１ＬＸ及び右部干渉凸部９１ＲＸが先端からブラシ毛材３５の間に入り込み、ブラシ本体３３は左部切込み９１Ｌ及び右部切込み９１Ｒから外部に突出したブラシ毛材３５によって外周面に外方に突出するブラシ毛材３５を形成すると共に、ブラシ毛材３５の間に横溝３８を形成する。
【００９８】
このようにして、ブラシ部３４には、ブラシカバー９１を芯材３６に保持することによって放射状のブラシ毛材３５に芯材３６を中心に放射状に延びる複数の横溝３８が形成され、ブラシ部３４は、ブラシカバー９１を取り付けた状態であり、使用によっても複数の横溝３８が変形することが抑制され、耐久性が向上する。
【００９９】
（第５の実施の形態の変形例１）
次に、第５の実施の形態の変形例１を、図１６に基づいて説明する。この第５の実施の形態の変形例１は、ブラシカバー９１がその内部空間にブラシ本体３３を挿入する構造であるが、ブラシカバー９１の板部９１Ａと対向する上側部には矢印ａの縦方向全体に亘って開口９１Ｂが形成され、これによりブラシカバー９１にブラシ本体３３が差し込まれたとき、ブラシ本体３３のブラシ毛材３５が開口９１Ｂを通って上方に突出するようになされ、ブラシカバー９１の左部のみに、複数の左部干渉凸部９１ＬＸを所定間隔に順次矢印ａの縦方向に沿って形成されている。左部干渉凸部９１ＬＸの先端は、鋭角になっており、左部干渉凸部９１ＬＸがブラシ毛材３５の間に入り込み易いようになっている。
【０１００】
これにより、ブラシカバー９１にブラシ本体３３を差し込んだ状態では、ブラシ毛材３５が開口９１Ｂを通って上方に突出するようになり、この状態でブラシカバー９１の外側から内側向けて力を加えて左部干渉凸部９１ＬＸを曲げることで、左部干渉凸部９１ＬＸが先端からブラシ毛材３５の間に入り込む。そして、左部干渉凸部９１ＬＸを開口９１Ｂに掛け渡すように曲げることで、左部干渉凸部９１ＬＸの両側面から外部に突出したブラシ毛材３５によって外周面に外方に突出するブラシ毛材３５を形成すると共に、ブラシ毛材３５の間に横溝３８を形成する。
【産業上の利用可能性】
【０１０１】
この発明は、特に塗布対象毛にマスカラなど塗布液を塗布し、または塗布液を洗浄するためのマスカラブラシに適用可能であり、ブラシ毛材の先端で塗布液を塗布したり、あるいは洗浄する際に回転使用することなく、塗布液を多く含ませて多く塗布することができ、また洗浄液を多く含ませて多い洗浄液で洗浄することが可能である。
【符号の説明】
【０１０２】
１，１１，２１，３１  マスカラブラシ
２，１２，２２，３２  握り部
３，１３，２３，３３  ブラシ本体
４，１４，２４，３４  ブラシ部５，１５，２５，３５  ブラシ毛材
６，１６，２６，３６  芯材
７，１７ａ．１７ｂ，２７ａ，３７  空間部
３８  横溝
５０  成形治具
６０  まつ毛
９０  溝成形治具
９１  ブラシカバー
【図１】
2012019817.tif 000003
【図２】
2012019817.tif 000004
【図３】
2012019817.tif 000005
【図４】
2012019817.tif 000006
【図５】
2012019817.tif 000007
【図６】
2012019817.tif 000008
【図７】
2012019817.tif 000009
【図８】
2012019817.tif 000010
【図９】
2012019817.tif 000011
【図１０】
2012019817.tif 000012
【図１１】
2012019817.tif 000013
【図１２】
2012019817.tif 000014
【図１３】
2012019817.tif 000015
【図１４】
2012019817.tif 000016
【図１５】
2012019817.tif 000017
【図１６】
2012019817.tif 000018